(57)【要約】【課題】表示装置本体を支持する支持台であって、その構成部品の水平出しのための細かい角度調整を簡単に行うことができるものの提供。【解決手段】支持台は、角柱パイプ形状の梁部材４に取付部材７を介して表示装置本体を取り付けるものであり、取付部材７は、表示装置本体を固定する固定面７ｂと、梁部材４の上面部に対して部分的に固着される固着部と、該固着部から離れた位置に、梁部材４の上面部に対する固定面７ｂの取り付け角度調整用の調整用ビス１１を有する。【選択図】図５
2015169860.tif 000002
【特許請求の範囲】
【請求項１】
角柱パイプ形状の梁部材に取付部材を介して表示装置本体を取り付ける表示装置の支持台において、
前記取付部材は、
前記表示装置本体を固定する固定面と、
前記梁部材の上面部に対して部分的に固着される固着部と、
該固着部から離れた位置に、前記梁部材の上面部に対する前記固定面の取り付け角度調整用の調整用ビスを有することを特徴とする表示装置の支持台。
【請求項２】
前記取付部材は、前記固着部と前記調整用ビスとの間の位置に肉薄部を有することを特徴とする請求項１に記載の表示装置の支持台。
【請求項３】
前記取付部材は、前記梁部材の側面部近傍に前記調整用ビスを有することを特徴とする請求項１または２に記載の表示装置の支持台。
【請求項４】
前記取付部材は、前記梁部材の前記調整用ビスに近い側面部に段付きネジで締結されていることを特徴とする請求項１〜３のいずれか１項に記載の表示装置の支持台。
【請求項５】
前記取付部材は、前記段付きネジで締結する前記梁部材の側面部と対向する側面部と固着されていることを特徴とする請求項４に記載の表示装置の支持台。
【請求項６】
前記取付部材は、前記表示装置本体に設けられる支柱と一体となっていることを特徴とする請求項１〜５のいずれか１項に記載の表示装置の支持台。
【請求項７】
請求項１〜６のいずれか１項に記載の支持台を備えた表示装置。
【発明の詳細な説明】
【技術分野】
【０００１】
本発明は、表示装置本体の支持台及び該支持台を備える表示装置に関し、特に、複数の部品からなる支持台及び該支持台を備える表示装置に関する。
【背景技術】
【０００２】
液晶表示装置などの表示装置では、その支持台における表示装置本体の固定面の水平が出ないと、該固定面に固定する表示装置本体が傾く。この傾きが僅かであっても、７０、８０インチ型の大型表示装置の場合、表示パネルの上端が前に傾いたり、後ろに反りかえったりして見えるため、品位低下につながる。
【０００３】
表示装置本体の傾きを調節する技術に関わり、特許文献１及び２には以下の開示がある。
特許文献１に開示の表示装置では、表示装置本体と支持台との間に取付板を挟んだ状態で表示装置本体と支持台を固定しており、取付板の上辺の一方には、表示装置本体内部の枠体と当接する突起部が形成され、同上辺の他方には取付板と上記枠体との間隔を調節するネジは配設されている。このネジを操作することにより、表示装置の表示画面中心を回転軸とする傾き調整が可能となっている。
【０００４】
特許文献２に開示の表示装置は、表示パネルの背面に配置されたシャーシを含む本体と、該本体を支持する支持台とを有し、支持台の本体固定部の中央付近の垂直方向における異なる２箇所に、支持台とシャーシの離間距離を調整するピンをそれぞれ設けている。これら２箇所のピンを操作し、支持台の本体固定部に対してシャーシを傾けることによって、本体の傾きを調整可能となっている。
【０００５】
近年、液晶表示装置などの表示装置において、狭額縁モデルが主流となっており、そのため、表示パネルを含む表示装置本体の支持台すなわちスタンドにおいても、それに応じてスタイリッシュなものが要求されている。
スタイリッシュなデザインを実現するために、スタンドを複数の部材で構成する場合がある。
その一例として、細長いパイプ形状の梁部材の両端に脚部材を設け、梁部材の中ほどに取付部材を固定し、該取付部材に表示装置本体を固定する構成がある。
【０００６】
スタンドに上述のパイプ形状の梁部材を用いる構成では、脚部材と梁部材との取付ばらつき、梁部材と取付部材の取付ばらつきなどによって、スタンドを設置した際に取付部材の表示装置本体の固定面の水平が出ない場合も多い。
【０００７】
図１０は、従来のスタンドの取付部材の水平出し方法を説明する図であり、スタンドの梁部材と取付部材との固定部分の断面図である。
図示するように、取付部材１０１の一方には表示装置本体に設けられる支柱２０１が固定される固定面１０１ａが形成されており、また、取付部材１０１の他方が梁部材１０２と複数の皿ネジ１０３により締結される。複数の皿ネジ１０３のうち中央付近の皿ネジ１０３は、取付部材１０１と梁部材１０２との間に配設されるワッシャなどのスペーサ１０４に通されて用いられる。
【０００８】
取付部材１０１の水平出しの際は、皿ネジ１０３などで取付部材１０１を梁部材１０２に固定した後に、取付部材１０１の固定面１０１ａが所望の角度となっているかチェックする。所望の角度が得られていない場合は、再度分解し、異なる厚みのスペーサ１０４を入れて同じ作業を行う。これらの作業を所望の角度が得られるまで繰り返す。
【先行技術文献】
【特許文献】
【０００９】
【特許文献１】特開２００７−３１０２５２号公報
【特許文献２】特開２０１０−１２８３４７号公報
【発明の開示】
【発明が解決しようとする課題】
【００１０】
図１０のように、スタンドの梁部材に対して取付部材を介して表示装置本体を取り付ける構成において、梁部材と取付部材との間に挟むスペーサの厚みを選択して取付部材の水平を出すのでは、水平がでるまでに時間を要し作業が煩雑で作業効率が悪い。また、細かく調整を行うためには、異なる厚みのスペーサを数多く準備しておく必要があった。
特許文献１及び２に開示の技術は、表示装置本体のスタンドに対する角度調整に関わるものであり、図１０の取付部材１０１のような、スタンドを構成する部品の水平出しについては何らの開示も示唆もない。
【００１１】
本発明は、上述のような実情に鑑み、表示装置本体を支持するものであって、その構成部品の水平出しのための細かい角度調整を簡単に行うことができる支持台及び該支持台を備える表示装置を提供することをその目的とする。
【課題を解決するための手段】
【００１２】
上記課題を解決するために、本発明の第１の技術手段は、角柱パイプ形状の梁部材に取付部材を介して表示装置本体を取り付ける表示装置の支持台において、前記取付部材は、前記表示装置本体を固定する固定面と、前記梁部材の上面部に対して部分的に固着される固着部と、該固着部から離れた位置に、前記梁部材の上面部に対する前記固定面の取り付け角度調整用の調整用ビスを有することを特徴としたものである。
【００１３】
本発明の第２の技術手段は、第１の技術手段において、前記取付部材は、前記固着部と前記調整用ビスとの間の位置に肉薄部を有することを特徴としたものである。
【００１４】
本発明の第３の技術手段は、第１または２の技術手段において、前記取付部材は、前記梁部材の側面部近傍に前記調整用ビスを有することを特徴としたものである。
【００１５】
本発明の第４の技術手段は、第１〜３のいずれか１の技術手段において、前記取付部材は、前記梁部材の前記調整用ビスに近い側面部に段付きネジで締結されていることを特徴としたものである。
【００１６】
本発明の第５の技術手段は、第４の技術手段において、前記段付きネジで締結する前記梁部材の側面部と対向する側面部と固着されていることを特徴としたものである。
【００１７】
本発明の第６の技術手段は、第１〜５のいずれか１の技術手段において、前記表示装置本体に設けられる支柱と一体となっていることを特徴としたものである。
【００１８】
本発明の第７の技術手段は、第１〜６のいずれか１の技術手段の支持台を備える表示装置である。
【発明の効果】
【００１９】
本発明によれば、表示装置の支持台の構成部品の水平出しのための細かい角度調整を簡単に行うことができるので、組立ての際の作業効率を良くすることができる。
【図面の簡単な説明】
【００２０】
【図１】本発明の表示装置の一例の外観図である。
【図２】スタンドの斜視図である。
【図３】スタンドの分解図である。
【図４】取付部材の斜視図である。
【図５】取付部材を梁部材に固定した状態における要部の断面図である。
【図６】取付部材の他の例を説明する図である。
【図７】取付部材の別の例を説明する図である。
【図８】取付部材の別の例を説明する図である。
【図９】取付部材の別の例を説明する図である。
【図１０】従来の取付部材の水平出しの方法を説明する図である。
【発明を実施するための形態】
【００２１】
以下、図面を参照しながら、本発明の表示装置及び表示装置本体の支持台の好適な実施形態について説明する。なお、以下の発明において、異なる図面においても同じ符号を付した構成は同様のものであるとして、その説明を省略する。
【００２２】
（第１の実施例）
図１は本発明の表示装置の一例の外観図である。
図１の表示装置１は、各種画像を表示する液晶表示パネル２ａや表示制御などを行う制御部を含む表示装置本体２と、該表示装置本体２を支持するスタンド３とを有する。
表示装置本体の液晶表示パネル２ａに代えて、プラズマディスプレイパネルや有機ＥＬ（Electro-Lumｉnescence）パネルとしてもよい。
以下では、液晶表示パネル２ａの表示面側を前側、表示装置１におけるスタンド３側を下側とし、これにより決定する前後方向及び上下方向と直交する方向を左右方向として説明する。
【００２３】
図２は図１のスタンド３の斜視図であり、図３は同分解図である。
スタンド３は、図２に示すように、梁部材４、一対の脚部材５、２つの連結部材６及び２つの取付部材７を有する。これらの部材４〜７は全てステンレスなどの金属製である。なお、２つずつある脚部材５、連結部材６及び取付部材７は、どちらか一方が他方と同一であるので、以下では一方についてのみ説明する。また、スタンド３は、後述の図５の皿ネジ８、平ネジ９及び段付きネジ１０を有する。
【００２４】
梁部材４は、取付部材７及び図示しない支柱を介して表示装置本体２が取り付けられるものであり、中空角柱形状すなわち角柱パイプ形状に形成され、連結部材６が挿入される開口４ａを両端に有する。この梁部材４は、図３に示すように、取付部材７が取り付けられる位置において、取付部材７を固定するための３つのネジ孔４ｂを上壁４ｃに有し、ネジ孔４ｂと同様の２つのネジ孔４ｄを前壁４ｅに有する。また、後述の図５（Ａ）に示すように、梁部材４は、取付部材７が取り付けられる位置において、ネジ孔４ｂと同様の２つのネジ孔４ｇを後壁４ｆに有する。なお、梁部材４は上述のネジ孔以外にも孔を有するが本発明の主要部と関係がないためその説明を省略する。
【００２５】
脚部材５は、表示装置本体２の荷重を支えるものであり、前後方向に延在するように形成され、開口５ａを後端に有する。開口５ａには、梁部材４の開口４ａへ挿入された連結部材６の該挿入側とは反対側の端部が挿入される。
【００２６】
連結部材６は、梁部材４と脚部材５とを連結するものであり、弧状に形成されている。なお、連結部材６と梁部材４との固定は例えばネジ止めなどで行われ、連結部材６と脚部材５との固定は嵌めこみなどで行われる。
【００２７】
取付部材７は、梁部材４に表示装置本体２を固定するためのものであり、表示装置本体２に設けられる支柱２ｂ（後述の図５）が取り付けられる支柱取付部７ａを前方に有する。取付部材７と梁部材４との固定は後述するようにネジ止めにより行われる。
【００２８】
図４は、取付部材７の斜視図である。
取付部材７の支柱取付部７ａは、図示するように、表示装置本体２に設けられる支柱が固定される固定面７ｂを有する。固定面７ｂは、上方視において後方が解放されたＵ字状に形成されているとともに、取付部材７の上壁の他の部分より高く形成されている。また、固定面７ｂは、表示装置本体２に設けられる支柱をネジで固定するための４つネジ孔７ｃを有する。ネジ孔７ｃは、左右方向中央より外側の位置に形成されている。
【００２９】
また、取付部材７は、固定面７ｂより左右方向の外側に位置する該固定面７ｂより一段低い面７ｄから下方に延出する側壁７ｅを左右に有する。側壁７ｅは、左右方向外側に向かって延出する前方固定壁７ｆをその後端に有し、該前方固定壁７ｆが、梁部材４の前壁４ｅのネジ孔４ｄに対応する位置に長孔７ｇを有する。長孔７ｇは左右方向に比べて上下方向に長い長孔である。
【００３０】
さらに、取付部材７は、支柱取付部７ａの後方に、梁部材４の上壁４ｃに対してネジ止めされる上方固定壁７ｈを有する。上方固定壁７ｈは、梁部材４の上壁４ｃに対して部分的固着される本発明の「固着部」に相当し、取付部材７のぐらつきを抑制するために支柱取付部７ａより幅広に形成されている。また、上方固定壁７ｈは、梁部材４の上壁４ｃの３つのネジ孔４ｂに対応する位置に貫通孔７ｉ、７ｊが形成されている。３つのうち１つの貫通孔７ｉは、取付部材７の後端の位置であって左右方向中央の位置に形成され、残りの２つの貫通孔７ｊは、後端の貫通孔７ｉより前方の位置であって左右方向外側の位置に形成されている。
【００３１】
そして、取付部材７は、上方固定壁７ｈの後端から下方に延出する後方固定壁７ｋを有し、この後方固定壁７ｋが梁部材４の後壁４ｆのネジ孔４ｇに対応する位置に貫通孔７ｌを有する。
【００３２】
上述の後方固定壁７ｋなどを有する取付部材７は、後端の貫通孔７ｉより前方の位置に、後述の調整用ビスが螺通される調整用孔７ｍを有する。調整用孔７ｍが設けられた面７ｎは固定面７ｂより一段低い位置にあり、また、該面７ｎはＵ字状の固定面７ｂに後方を除く三方が囲われている。
なお、取付部材７は上述の調整用孔７ｍなど以外にも孔を有するが本発明の主要部と関係がないためその説明を省略する。
【００３３】
取付部材７の調整用孔７ｍに螺通される調整用ビスを用いて固定面７ｂの水平出しを行う方法を、図５を用いて説明する。
図５は、取付部材７を梁部材４に固定した状態における要部の断面図であり、図５（Ａ）は調整前の状態を示し、図５（Ｂ）は調整後の状態を示す。
【００３４】
取付部材７と梁部材４の固定には、図５（Ａ）に示すように、皿ネジ８と、平ネジ９と、段付きネジ１０とが用いられる。なお、図示は省略するが、表示装置本体に設けられる支柱２ｂの、取付部材７の固定面７ｂへの固定は、例えば平ネジなどで行われる。
【００３５】
皿ネジ８は、取付部材７の上方固定壁７ｈの後方の貫通孔７ｉに挿通され、梁部材４の上壁４ｃのネジ孔４ｂに螺合するものであり、梁部材４の上壁４ｃに対して取付部材７の上方固定壁７ｈを締結する。なお、図示は省略するが、取付部材７の上方固定壁７ｈの側方の貫通孔７ｊ（図４参照）に挿通され梁部材４の上壁４ｃのネジ孔４ｂに螺合する皿ネジによって、梁部材４の上壁４ｃに対して取付部材７の上方固定壁７ｈがさらに締結される。
【００３６】
平ネジ９は、取付部材７の後方固定壁７ｋの貫通孔７ｌに挿通され、梁部材４の後壁４ｆのネジ孔４ｇに螺合するものであり、梁部材４の後壁４ｆに対して取付部材７の後方固定壁７ｋを締結する。
【００３７】
段付きネジ１０は、取付部材７の前方固定壁７ｆの長孔７ｇに挿通され、梁部材４の前壁４ｅのネジ孔４ｄに螺合するものであり、梁部材４の前壁４ｅに対して取付部材７の前方固定壁７ｆを締結する。この段付きネジ１０のネジが切られていない円筒部１０ａは、締結状態において、取付部材の７ｆの長孔７ｇ内に位置するようになっており、また、円筒部１０ａの直径は、取付部材の７ｆの長孔７ｇの上下方向の幅に比べて小さくなっている。そのため、段付きネジ１０による締結状態においても、取付部材７の前方固定壁７ｆは梁部材４の前壁４ｅに沿って上下方向にスライド移動可能となっている。
【００３８】
これら皿ネジ８、平ネジ９、段付きネジ１０によって梁部材４に固定された取付部材７の固定面７ｂの水平出し、すなわち、梁部材４の上壁４ｃに対する取付部材７の固定面７ｂの角度調整は、取付部材７の調整用孔７ｍに螺通した調整用ビス１１を用いて行われる。
【００３９】
皿ネジ８などによる取付部材７の梁部材４への固定完了後に、調整用ビス１１を調整用孔７ｍに螺通していくと、図５（Ａ）に示すように、調整用ビス１１は、取付部材７と接している梁部材４の上壁４ｃに対して、ネジ孔４ｂから前方の当該ネジ孔４ｂから離間した位置で当接する。この状態から調整用ビス１１を締めていくと、取付部材７の前方固定壁７ｆが上述のように梁部材４の前壁４ｅに沿って上下方向にスライド移動可能なため、図５（Ｂ）に示すように、調整用ビス１１の当接部分において取付部材７が梁部材４の上壁４ｃから離間していく。取付部材７は、調整用ビス１１より後方で皿ネジ８及び平ネジ９によって梁部材４と部分的に固定され、調整用ビス１１より前方では梁部材４と固定されていないので、上述のように取付部材７が梁部材４の上壁４ｃから離間していくと、取付部材７が調整用ビス１１と貫通孔７ｉ（ネジ孔４ｂ）との間の部分から屈曲する。そのため、梁部材４の上壁４ｃに対する取付部材７の固定面７ｂの角度が変化する。
このように、調整用ビス１１を締めていくことで、梁部材４の上壁４ｃに対する取付部材７の固定面７ｂの角度が変化させることができるので、調整用ビス１１の調整用孔７ｍへの螺通長さを調節することで上記固定面７ｂの角度を調節することができる。
一例としては、調整用ビス１１がＭ４タップの場合、該ビス１１を４５度回転することで角度を０．１°変えることができる。
【００４０】
なお、取付部材７の段付きネジ１０を設けた前方固定壁７ｆだけでなく前方固定壁７ｆと対向する後方固定壁７ｋが梁部材４と固着するので、スタンド３では取付部材７の梁部材４への固着強度が高くなっている。
【００４１】
（第２の実施例）
図６は、取付部材の他の例を説明する、要部の断面図である。
図６の取付部材１２は、上方固定壁１２ａにおける調整用孔７ｍと貫通孔７ｉとの間の位置に、肉薄部１２ｂを有する。このように、取付部材１２の上方固定壁１２ａにおける、梁部材４の上壁４ｃへ部分的に固着される位置と調整用ビス１１が設けられる位置との間に肉薄部１２ｂを設けることで、調整用ビス１１への操作に応じて、取付部材７を調整用ビス１１と貫通孔７ｉ（ネジ孔４ｂ）との間の部分で容易に屈曲させることができる。
図では、切り欠きを上面に設け肉薄部を形成しているが、切り欠きを下面あるいは両面に設けて肉薄部としてもよい。また、図においてはＶ字カットとなっているが、一定幅の溝状の切り欠きでもよい。
【００４２】
（第３の実施例）
図７は、取付部材の別の例を説明する、要部の断面図である。
図５の取付部材７では、調整用孔７ｍが、取付部材７の前後方向略中央の位置に形成されており、梁部材４の中空部分の上方に位置していた。
それに対し、図７の取付部材１３は、調整用ビス１１が螺通される上方固定壁１３ａ上の調整用孔１３ｂが、取付部材１３の前後方向略中央より前方の位置に形成されており、梁部材４の前壁４ｅの近傍の上方に位置している。梁部材４の前壁４ｅの近傍の上方部分は、上方向からの力に対する剛性が大きい。したがって、取付部材１３を用いることにより、調整用ビス１１を締めたときに梁部材４が変形する可能性を低減させることができる。また、貫通孔７ｉ、貫通孔７ｊ付近の固着部から最も離れた位置に調整用ビス１１が配置されるので、より容易に梁部材４の上壁４ｃに対する取付部材７の固定面７ｂの角度を変化させることができる。
【００４３】
（第４の実施例）
図８は、取付部材の別の例を説明する、要部の断面図である。
図５の取付部材７では、表示装置本体に設けられる支柱２ｂと別体となっていた。
それに対し、図８の取付部材１４は、支柱１４ａが一体に形成されている。この取付部材１４を用いることにより、支柱１４ａの固定作業が不要となるので、支持台を含む表示装置の組み立てを短時間で行うことができる。また、支柱２ｂの取り付けばらつきが無くなるので、角度ばらつきを、より小さくすることができる。
【００４４】
（第５の実施例）
図９は、取付部材の別の例を説明する、要部の断面図である。
図５の取付部材７では、表示装置本体に設けられる支柱２ｂの固定面７ｂが、調整用孔７ｍの前方に位置していた。
それに対し、図９の取付部材１５では、支柱２ｂの固定面が調整用孔７ｍと貫通孔７ｉとの間に設けられている。このような形態とすることで、取付部材の面積を小さくすることができ、コストを削減することができる。
【００４５】
なお、以上の説明での取付部材の前壁、後壁は本発明の「側面部」に相当し、上壁は本発明の「上面部」に相当する。
【００４６】
本発明の表示装置の支持台は、角柱パイプ形状の梁部材に取付部材を介して表示装置本体を取り付けるものであり、取付部材は、表示装置本体を固定する固定面と、梁部材の上面部に対して部分的に固着される固着部と、該固着部から離れた位置に、梁部材の上面部に対する上記固定面の取り付け角度調整用の調整用ビスを有する。これにより、表示装置の支持台の構成部品の水平出しのための細かい角度調整を簡単に行うことができ、組立ての際の作業効率を良くすることができる。
【００４７】
取付部材は、上記固着部と調整用ビスとの間の位置に肉薄部を有するとよい。これにより、固着部と調整用ビスとの間で取付部材を容易に変形させることができる。
【００４８】
取付部材は、梁部材の側面部近傍に調整用ビスを有することが好ましい。これにより、調整用ビスで調整を行う際に梁部材が変形してしまうことがないようにできる。
【００４９】
取付部材は、前記梁部材の前記調整用ビスに近い側面部に段付きネジで締結されているとよい。これにより、取付部材を梁部材に強固に取付できるとともに調整用ビスの調整の際に取付部材の変形が阻害されることがないようにできる。
【００５０】
取付部材は、段付きネジで締結する梁部材の側面部と対向する側面部と固着されているとよい。これにより、取付部材の梁部材への固着をより強固にすることができる。
【００５１】
取付部材は、表示装置本体に設けられる支柱とが一体に形成されていてもよい。これにより、取付部材と支柱との固定作業が不要となり、支持台を含む表示装置の組み立てを短時間で行うことができるようになる。
【００５２】
本発明の表示装置は、上述の支持台を備える。この表示装置は、支持台の水平出しを含む表示装置の組み立てを短時間で行うことができる。
【符号の説明】
【００５３】
１…表示装置、２…表示装置本体、２ａ…液晶表示パネル、２ｂ，１４ａ…支柱、３…スタンド、４…梁部材、４ａ…開口、４ｂ…ネジ孔、４ｃ…上壁、４ｄ…ネジ孔、４ｅ…前壁、４ｆ…後壁、４ｇ…ネジ孔、５…脚部材、５ａ…開口、６…連結部材、７，１２，１３，１４，１５…取付部材、７ａ…支柱取付部、７ｂ，１５ａ…固定面、７ｃ…貫通孔、７ｅ…側壁、７ｆ…前方固定壁、７ｇ…長孔、７ｈ，１２ａ，１３ａ…上方固定壁、７ｋ…後方固定壁、７ｍ，１３ｂ…調整用孔、７ｉ，７ｊ，７ｌ…貫通孔、８…皿ネジ、９…平ネジ、１０…段付きネジ、１０ａ…円筒部、１１…調整用ビス、１２ｂ…肉薄部。
【図１】
2015169860.tif 000003
【図２】
2015169860.tif 000004
【図３】
2015169860.tif 000005
【図４】
2015169860.tif 000006
【図５】
2015169860.tif 000007
【図６】
2015169860.tif 000008
【図７】
2015169860.tif 000009
【図８】
2015169860.tif 000010
【図９】
2015169860.tif 000011
【図１０】
2015169860.tif 000012